(57)【要約】【課題】変圧の効率を一定効率以上に維持することができ、変圧回路が高温になることがない電源システムを提供する。【解決手段】電源システム１では、変圧回路２０は、発電機として機能するオルタネータ１１が発生した発電電圧を変圧し、変圧した電圧をバッテリ１２及び負荷１３に出力する。ＤＣ／ＤＣコンバータ１０の制御部２６は、変圧回路２０が行っている変圧の効率を算出する。発電制御部１４は車両の走行に関する走行情報を取得する。発電制御部１４及び制御部２６は、算出した変圧の効率と、取得した走行情報とに基づいてオルタネータ１１が発生する発電電圧を調整する。【選択図】図１
2015214242.tif 000002
【特許請求の範囲】
【請求項１】
発電機と、該発電機が発生した発電電圧を変圧し、変圧した電圧を出力する変圧回路とを備え、車両に搭載される電源システムにおいて、
前記変圧回路が行っている変圧の効率を算出する効率算出手段と、
前記車両の走行に関する走行情報を取得する取得手段と、
前記効率算出手段が算出した効率、及び、前記取得手段が取得した走行情報に基づいて、前記発電機が発生する発電電圧を調整する調整手段と
を備えることを特徴とする電源システム。
【請求項２】
前記調整手段は、前記効率算出手段が算出した効率の高／低に応じて高／低となる前記発電電圧の上限電圧を設定し、設定した上限電圧以下の範囲にて、前記取得手段が取得した走行情報に基づいて前記発電電圧を調整するように構成してあること
を特徴とする請求項１に記載の電源システム。
【請求項３】
前記調整手段は、
前記効率算出手段が算出した効率が所定効率未満であるか否かを判定する判定手段と、
前記取得手段が取得した走行情報に基づいて電圧を設定する設定手段と
を有し、
前記判定手段が前記所定効率未満であると判定した場合に、前記発電電圧を、前記設定手段が設定した設定電圧よりも低い電圧に調整するように構成してあること
を特徴とする請求項１に記載の電源システム。
【請求項４】
前記変圧回路に入力されている電力を算出する入力電力算出手段と、
前記変圧回路から出力されている電力を算出する出力電力算出手段と
を備え、
前記効率算出手段は、該出力算出手段が算出した電力を、前記入力電力算出手段が算出した電力で除することによって前記効率を算出するように構成してあること
を特徴とする請求項１から請求項３のいずれか１つに記載の電源システム。
【請求項５】
発電機と、該発電機が発生した発電電圧を変圧し、変圧した電圧を出力する変圧回路とを備え、車両に搭載される電源システムにおいて、
前記変圧回路周辺の温度を検出する温度検出手段と、
前記車両の走行に関する走行情報を取得する取得手段と、
前記温度検出手段が検出した温度、及び、前記取得手段が取得した走行情報に基づいて、前記発電機が発生する発電電圧を調整する調整手段と
を備えることを特徴とする電源システム。
【請求項６】
前記調整手段は、前記温度検出手段が検出した温度の高／低に応じて低／高となる前記発電電圧の上限電圧を設定し、設定した上限電圧以下の範囲にて、前記取得手段が取得した走行情報に基づいて前記発電電圧を調整するように構成してあること
を特徴とする請求項５に記載の電源システム。
【請求項７】
前記調整手段は、
前記温度検出手段が検出した温度が所定温度以上であるか否かを判定する判定手段と、
前記取得手段が取得した走行情報に基づいて電圧を設定する設定手段と
を有し、
前記判定手段が前記所定温度以上であると判定した場合に、前記発電電圧を、前記設定手段が設定した設定電圧よりも低い電圧に調整するように構成してあること
を特徴とする請求項５に記載の電源システム。
【発明の詳細な説明】
【技術分野】
【０００１】
本発明は、発電機が発生した電圧が変圧回路によって変圧され、変圧された電圧が変圧回路から出力される電源システムに関する。
【背景技術】
【０００２】
現在、多くの車両には、車両が減速する場合に車両の運動エネルギーから交流の回生電力に変換し、変換した交流の回生電力を直流の回生電力に整流し、整流した直流の回生電力に係る直流電圧を発電電圧として出力するオルタネータ（発電機）が搭載されている。
【０００３】
このようなオルタネータは、車両が一定速度で走行している状況、車両が加速している状況、及び、車両が減速している状況等に応じて異なる発電電圧を出力する。一方で、オルタネータによって給電されるランプ又はワイパー等の負荷には、安定した動作を行わせるため、所定の電圧を出力し続ける必要がある。
【０００４】
特許文献１には、負荷に所定の電圧を出力することができる電源システムが開示されている。この電源システムでは、変圧回路がオルタネータの発電電圧を所定の電圧に変圧し、変圧した電圧を負荷に出力する。このため、オルタネータの発電電圧の変動に無関係に負荷に所定の電圧を出力し続けることができる。
【先行技術文献】
【特許文献】
【０００５】
【特許文献１】特開平５−２７０３３０号公報
【発明の概要】
【発明が解決しようとする課題】
【０００６】
オルタネータから出力されている種々の発電電圧を所定の電圧に変圧する変圧回路は、通常、コイルと、一端が該コイルの一端に接続してあるスイッチング素子とを備え、該スイッチング素子のオン／オフを繰り返すことによって、変圧回路は変圧を行う。このような変圧回路が行う変圧の効率は、オルタネータによって入力される電圧の高／低に応じて低／高となる。これは、入力電圧が高い程、スイッチング素子がオフである場合にスイッチング素子の両端間に印加されている電圧が高く、スイッチング素子のオン／オフの切替えで生じる電力の損失、所謂スイッチング損失が大きいからである。
【０００７】
以上のように、変圧回路に入力される電圧の高／低に応じて変圧の効率が低／高となるので、車両の走行状況に応じてオルタネータが発電電圧を変更し、変圧回路がオルタネータの発電電圧を所定の電圧に変圧する従来の電源システムでは、変圧回路が行う変圧の効率が著しく低くなる可能性がある。変圧の効率が著しく低い場合、多量のエネルギーが熱として消費されるため、変圧回路が発熱して高温になる虞がある。
【０００８】
本発明は斯かる事情に鑑みてなされたものであり、その目的とするところは、変圧の効率を一定効率以上に維持することができ、変圧回路が高温になることがない電源システムを提供することにある。
【課題を解決するための手段】
【０００９】
本発明に係る電源システムは、発電機と、該発電機が発生した発電電圧を変圧し、変圧した電圧を出力する変圧回路とを備え、車両に搭載される電源システムにおいて、前記変圧回路が行っている変圧の効率を算出する効率算出手段と、前記車両の走行に関する走行情報を取得する取得手段と、前記効率算出手段が算出した効率、及び、前記取得手段が取得した走行情報に基づいて、前記発電機が発生する発電電圧を調整する調整手段とを備えることを特徴とする。
【００１０】
本発明にあっては、変圧回路は、発電機が発生した発電電圧を変圧し、変圧した電圧を例えば負荷に出力する。変圧回路が行っている変圧の効率を算出し、車両の走行に関する走行情報を取得する。算出した変圧の効率と、取得した走行情報とに基づいて、発電機が発生する発電電圧を調整する。
【００１１】
例えば、変圧回路が行う変圧の効率が低い場合に発電電圧を低下させることによって、変圧の効率を一定効率以上に維持することが可能となる。この場合、変圧回路から放出される熱の量が少ないため、変圧回路が高温になることはない。
【００１２】
本発明に係る電源システムは、前記調整手段は、前記効率算出手段が算出した効率の高／低に応じて高／低となる前記発電電圧の上限電圧を設定し、設定した上限電圧以下の範囲にて、前記取得手段が取得した走行情報に基づいて前記発電電圧を調整するように構成してあることを特徴とする。
【００１３】
本発明にあっては、算出した変圧の効率の高／低に応じて高／低となる発電電圧の上限電圧を設定する。そして、設定した上限電圧以下の範囲において、取得した走行情報に基づいて発電電圧を調整する。具体的には、取得した走行情報に基づいて設定した電圧が上限電圧以上である場合には、発電電圧を上限電圧に調整し、取得した走行情報に基づいて設定した電圧が上限電圧未満である場合には、発電電圧を、設定した電圧に調整する。
これより、変圧の効率が一定効率以上に確実に維持される。
【００１４】
本発明に係る電源システムは、前記調整手段は、前記効率算出手段が算出した効率が所定効率未満であるか否かを判定する判定手段と、前記取得手段が取得した走行情報に基づいて電圧を設定する設定手段とを有し、前記判定手段が前記所定効率未満であると判定した場合に、前記発電電圧を、前記設定手段が設定した設定電圧よりも低い電圧に調整するように構成してあることを特徴とする。
【００１５】
本発明にあっては、算出した効率が所定効率未満であるか否かを判定する。算出した効率が所定効率未満であると判定した場合、発電電圧を、取得した走行情報に基づいて設定した設定電圧よりも低い電圧に設定する。
このため、簡単な構成で変圧の効率を一定効率以上に維持することが可能となる。
【００１６】
本発明に係る電源システムは、前記変圧回路に入力されている電力を算出する入力電力算出手段と、前記変圧回路から出力されている電力を算出する出力電力算出手段とを備え、前記効率算出手段は、該出力算出手段が算出した電力を、前記入力電力算出手段が算出した電力で除することによって前記効率を算出するように構成してあることを特徴とする。
【００１７】
本発明にあっては、変圧回路に入力されている電力と変圧回路から出力されている電力とを算出する。変圧回路から出力されている電力を、変圧回路に入力されている電力で除する。
これにより、変圧の効率が正確に算出される。
【００１８】
本発明に係る電源システムは、発電機と、該発電機が発生した発電電圧を変圧し、変圧した電圧を出力する変圧回路とを備え、車両に搭載される電源システムにおいて、前記変圧回路周辺の温度を検出する温度検出手段と、前記車両の走行に関する走行情報を取得する取得手段と、前記温度検出手段が検出した温度、及び、前記取得手段が取得した走行情報に基づいて、前記発電機が発生する発電電圧を調整する調整手段とを備えることを特徴とする。
【００１９】
本発明にあっては、変圧回路は発電機が発生した発電電圧を変圧し、変圧した電圧を例えば負荷に出力する。変圧回路周辺の温度を検出し、車両の走行に関する走行情報を取得する。検出した温度と、取得した走行情報とに基づいて、発電機が発生する発電電圧を調整する。
【００２０】
例えば、変圧回路周辺の温度が高い場合、即ち、変圧回路が行っている変圧の効率が低い場合に発電電圧を低下させることによって変圧の効率を一定効率以上に維持することが可能となる。この場合、変圧回路から放出される熱の量が少ないため、変圧回路が高温になることはない。
【００２１】
本発明に係る電源システムは、前記調整手段は、前記温度検出手段が検出した温度の高／低に応じて低／高となる前記発電電圧の上限電圧を設定し、設定した上限電圧以下の範囲にて、前記取得手段が取得した走行情報に基づいて前記発電電圧を調整するように構成してあることを特徴とする。
【００２２】
本発明にあっては、検出した温度の高／低に応じて低／高となる発電電圧の上限電圧を設定する。そして、設定した上限電圧以下の範囲において、取得した走行情報に基づいて発電電圧を調整する。具体的には、取得した走行情報に基づいて設定した電圧が上限電圧以上である場合には、発電電圧を上限電圧に調整し、取得した走行情報に基づいて設定した電圧が上限電圧未満である場合には、発電電圧を、設定した電圧に調整する。
これより、変圧の効率が一定効率以上に確実に維持される。
【００２３】
本発明に係る電源システムは、前記調整手段は、前記温度検出手段が検出した温度が所定温度以上であるか否かを判定する判定手段と、前記取得手段が取得した走行情報に基づいて電圧を設定する設定手段とを有し、前記判定手段が前記所定温度以上であると判定した場合に、前記発電電圧を、前記設定手段が設定した設定電圧よりも低い電圧に調整するように構成してあることを特徴とする。
【００２４】
本発明にあっては、検出した温度が所定温度以上であるか否か、言い換えると、変圧の効率が所定効率未満であるか否かを判定する。検出した温度が所定温度以上である、即ち、変圧の効率が所定効率未満であると判定した場合、発電電圧を、取得した走行情報に基づいて設定した電圧よりも低い電圧に設定する。
このため、簡単な構成で変圧の効率を一定効率以上に維持することが可能となる。
【発明の効果】
【００２５】
本発明によれば、効率が高い変圧を実現することができ、変圧回路が高温になることはない。
【図面の簡単な説明】
【００２６】
【図１】実施の形態１における電源システムの要部構成を示すブロック図である。
【図２】制御部が実行する上限電圧設定処理を示すフローチャートである。
【図３】発電制御部が実行する動作の手順を示すフローチャートである。
【図４】実施の形態２における制御部が実行する効率調整処理を示すフローチャートである。
【図５】発電制御部が実行する動作の手順を示すフローチャートである。
【図６】実施の形態３における電源システムの要部構成を示すブロック図である。
【図７】制御部が実行する上限電圧設定処理を示すフローチャートである。
【図８】実施の形態４における制御部が実行する効率調整処理を示すフローチャートである。
【発明を実施するための形態】
【００２７】
以下、本発明をその実施の形態を示す図面に基づいて詳述する。
（実施の形態１）
図１は実施の形態１における電源システムの要部構成を示すブロック図である。この電源システム１は、車両に好適に搭載され、ＤＣ／ＤＣコンバータ１０、オルタネータ１１、バッテリ１２、負荷１３及び発電制御部１４を備える。ＤＣ／ＤＣコンバータ１０は第１端、第２端及び第３端を有する。ＤＣ／ＤＣコンバータ１０において、第１端はオルタネータ１１の一端に接続され、第２端はバッテリ１２の正極と、負荷１３の一端とに接続され、第３端は発電制御部１４に接続されている。オルタネータ１１及び負荷１３夫々の他端と、バッテリ１２の負極とは接地されている。
【００２８】
オルタネータ１１は、発電機として機能し、エンジンと連動して発電する。具体的には、オルタネータ１１は、交流電力を生成し、生成した交流電力を直流電力に整流し、整流した直流電力に係る直流電圧を発電電圧としてＤＣ／ＤＣコンバータ１０に出力する。また、オルタネータ１１は、車両が減速する場合、車両の運動エネルギーを回生電力に変換する。従って、車両が減速する場合においては、前述した交流電力は、車両の運動エネルギーを変換することによって得られる交流の回生電力である。
【００２９】
オルタネータ１１には、発電制御部１４から、オルタネータ１１が発電すべき発電電圧が示されている発電情報が入力される。オルタネータ１１は、入力されている発電情報が示す発電電圧をＤＣ／ＤＣコンバータ１０に出力する。
オルタネータ１１は、例えば車両がアイドリングストップすることによって、エンジンが停止している場合、発電を停止している。
【００３０】
ＤＣ／ＤＣコンバータ１０は、オルタネータ１１が発電している間、オルタネータ１１が発生した発電電圧を一定の目標電圧に変圧し、該目標電圧をバッテリ１２及び負荷１３に出力する。また、ＤＣ／ＤＣコンバータ１０は、オルタネータ１１が発電していない場合、変圧を停止する。更に、ＤＣ／ＤＣコンバータ１０は、オルタネータ１１が発電する発電電圧の上限電圧を示す電圧情報を発電制御部１４に出力する。
【００３１】
バッテリ１２は例えば鉛蓄電池である。バッテリ１２の出力電圧は、ＤＣ／ＤＣコンバータ１０が出力する目標電圧よりも低い。従って、ＤＣ／ＤＣコンバータ１０が作動している場合、目標電圧がバッテリ１２に印加され、バッテリ１２は電力を蓄える。ＤＣ／ＤＣコンバータ１０が停止している場合、バッテリ１２は蓄えた電力を負荷１３に供給する。
【００３２】
負荷１３はライト又はワイパー等の車載機器である。ＤＣ／ＤＣコンバータ１０が作動している場合、負荷１３には、ＤＣ／ＤＣコンバータ１０によって目標電圧が印加される。これにより、負荷１３は給電される。また、負荷１３は、ＤＣ／ＤＣコンバータ１０が停止している間、バッテリ１２によって給電される。
【００３３】
発電制御部１４には、ＤＣ／ＤＣコンバータ１０から電圧情報が入力される。更に発電制御部１４は、外部から、電源システム１が搭載されている車両の走行に関する走行情報を取得する。走行情報は、車速を示す情報、ブレーキペダルの踏み込み量を示す情報、及び、アクセルペダルの踏み込み量を示す情報の少なくとも１つを含む。発電制御部１４は、ＤＣ／ＤＣコンバータ１０から入力された電圧情報と、外部から取得した走行情報とに基づいて、オルタネータ１１が発電すべき発電電圧を設定し、設定した発電電圧を示す発電情報をオルタネータ１１に出力する。発電制御部１４は取得手段として機能する。
【００３４】
ＤＣ／ＤＣコンバータ１０は、変圧回路２０、入力電圧検出部２１、出力電圧検出部２２、入力電流検出部２３、出力電流検出部２４、記憶部２５及び制御部２６を有する。変圧回路２０は入力端、出力端及び接続端を有する。変圧回路２０の入力端はオルタネータ１１の一端に接続され、変圧回路２０の出力端はバッテリ１２の正極と負荷１３の一端とに接続されている。変圧回路２０の接続端は制御部２６に接続されている。
【００３５】
入力電圧検出部２１は変圧回路２０の入力端と制御部２６とに各別に接続され、出力電圧検出部２２は変圧回路２０の出力端と制御部２６とに各別に接続されている。制御部２６は、変圧回路２０、入力電圧検出部２１及び出力電圧検出部２２の他に、発電制御部１４、入力電流検出部２３、出力電流検出部２４及び記憶部２５に各別に接続されている。
【００３６】
変圧回路２０の入力端にはオルタネータ１１の発電電圧が入力される。変圧回路２０は図示しないコイルと、一端が該コイルの一端と接続している図示しないスイッチング素子とを有しており、変圧回路２０が有するスイッチング素子は制御部２６によってオン／オフされる。制御部２６がこのスイッチング素子のオン／オフを繰り返した場合、変圧回路２０は、入力端に入力されている電圧を目標電圧に変圧し、該目標電圧を出力端からバッテリ１２及び負荷１３に出力する。より具体的には、変圧回路２０は、入力端に入力されている１６ボルト、２４ボルト又は４２ボルト等の電圧を、目標電圧、例えば１３．５ボルトに降圧し、該目標電圧を出力端から出力している。
【００３７】
制御部２６は、変圧回路２０が有するスイッチング素子のオン／オフを繰り返す場合、該スイッチング素子のオフからオンへの切替えを周期的に行う。制御部２６は、１周期に対するスイッチング素子のオン期間の割合、所謂デューティを調整することによって、出力電圧検出部２２が検出した出力電圧が目標電圧となるように、変圧回路２０の入力端に入力されている電圧の降圧幅を調整する。
制御部２６が変圧回路２０におけるスイッチング素子のオン／オフの繰り返しを停止した場合、例えば、該スイッチング素子をオフに維持した場合、変圧回路２０は変圧を停止する。
【００３８】
入力電圧検出部２１は変圧回路２０の入力端に入力されている入力電圧を検出する。入力電圧検出部２１が検出した入力電圧は、制御部２６によって入力電圧検出部２１から読込まれる。
出力電圧検出部２２は変圧回路２０の出力端から出力されている出力電圧を検出する。出力電圧検出部２２が検出した出力電圧は、制御部２６によって出力電圧検出部２２から読込まれる。
【００３９】
入力電流検出部２３は、変圧回路２０の入力端に入力されている入力電流を検出する。入力電流検出部２３が検出した入力電流は、制御部２６によって入力電流検出部２３から読込まれる。
出力電流検出部２４は、変圧回路２０の出力端から出力されている出力電流を検出する。出力電流検出部２４が検出した出力電流は、制御部２６によって出力電流検出部２４から読込まれる。
【００４０】
記憶部２５は、変圧回路２０が行う変圧の効率に対応付けて、発電電圧の上限電圧となり得る候補電圧を記憶している。低い変圧の効率には低い候補電圧が対応付けられており、高い変圧の効率には高い候補電圧が対応付けられている。記憶部２５に記憶されている内容は制御部２６によって読み出される。
【００４１】
制御部２６はオルタネータ１１が発電しているか否かを判定する。制御部２６は、例えば、入力電圧検出部２１が検出した入力電圧が所定の電圧以上である場合にオルタネータ１１が発電していると判定し、入力電圧検出部２１が検出した入力電圧が所定の電圧未満である場合にオルタネータ１１が発電していないと判定する。
【００４２】
また、制御部２６は、例えば、入力電流検出部２３が検出した入力電流が所定の電流以上である場合にオルタネータ１１が発電していると判定し、入力電流が所定の電流未満である場合にオルタネータ１１が発電していないと判定してもよい。
更に、例えば、制御部２６に、オルタネータ１１が発電しているか否かを示す情報が入力されており、制御部２６は入力されている該情報に基づいてオルタネータ１１が発電しているか否かを判定してもよい。オルタネータ１１が発電しているか否かを示す情報は、イグニッションスイッチのオン／オフを示す情報、又は、車両がアイドリングストップしているか否かを示す情報等である。
【００４３】
制御部２６は、オルタネータ１１が発電していると判定した場合、変圧回路２０が有するスイッチング素子のオン／オフを繰り返すことによって、変圧回路２０に変圧を行わせ、オン／オフのデューティを調整することによって変圧回路２０が出力端から出力する電圧を目標電圧に調整する。
【００４４】
制御部２６は、以上に述べた処理を行うと共に、オルタネータ１１が発生する発電電圧の上限電圧を設定する上限電圧設定処理を実行する。制御部２６は、変圧回路２０に変圧を行わせている間に上限電圧設定処理を実行する。
【００４５】
図２は制御部２６が実行する上限電圧設定処理を示すフローチャートである。制御部２６は、まず、入力電圧検出部２１から入力電圧を読込み（ステップＳ１）、入力電流検出部２３から入力電流を読込む（ステップＳ２）。そして、制御部２６は、ステップＳ１で読込んだ入力電圧と、ステップＳ２で読込んだ入力電流とから、変圧回路２０に入力されている入力電力を算出する（ステップＳ３）。入力電力は入力電圧及び入力電流の積によって算出される。制御部２６は入力電力算出手段として機能する。
【００４６】
次に、制御部２６は、出力電圧検出部２２から出力電圧を読込み（ステップＳ４）、出力電流検出部２４から出力電流を読込む（ステップＳ５）。そして、制御部２６は、ステップＳ４で読込んだ出力電圧と、ステップＳ５で読込んだ出力電流とから、変圧回路２０から出力されている出力電力を算出する（ステップＳ６）。出力電力は出力電圧及び出力電流の積によって算出される。制御部２６は出力電力算出手段としても機能する。
【００４７】
次に、制御部２６は、ステップＳ６で算出した出力電力をステップＳ３で算出した入力電力で除することによって、変圧回路２０が行っている変圧の効率を算出する（ステップＳ７）。これにより、制御部２６は、変圧回路２０が行っている変圧の効率を正確に算出することができる。制御部２６は効率算出手段としても機能する。
【００４８】
その後、制御部２６は、ステップＳ７で算出した効率に基づいて、オルタネータ１１が発生する発電電圧の上限電圧を設定する（ステップＳ８）。具体的には、制御部２６は、ステップＳ７で算出した効率に対応付けられている候補電圧を読み出し、読み出した候補電圧を上限電圧に設定する。前述したように、低い変圧の効率には低い候補電圧が対応付けられており、高い変圧の効率には高い候補電圧が対応付けられているため、制御部２６は、ステップＳ８において、ステップＳ７で算出した効率の高／低に応じて高／低となる発電電圧の上限電圧を設定する。制御部２６は調整手段の一部としても機能する。
【００４９】
次に、制御部２６は、ステップＳ８で設定した上限電圧を示す電圧情報を発電制御部１４に出力し（ステップＳ９）、上限電圧設定処理を終了する。制御部２６は、変圧回路２０に変圧を行わせている間、上限電圧設定処理を繰り返し実行する。
【００５０】
図３は発電制御部１４が実行する動作の手順を示すフローチャートである。発電制御部１４は、まず、ＤＣ／ＤＣコンバータ１０の制御部２６から電圧情報が自身に入力されたか否かを判定する（ステップＳ１１）。発電制御部１４は、電圧情報が入力されていないと判定した場合（Ｓ１１：ＮＯ）、処理をステップＳ１１に戻し、制御部２６から電圧情報が入力されるまで待機する。
【００５１】
発電制御部１４は、電圧情報が入力されたと判定した場合（Ｓ１１：ＹＥＳ）、外部から走行情報を取得したか否かを判定する（ステップＳ１２）。発電制御部１４は、走行情報を取得していないと判定した場合（Ｓ１２：ＮＯ）、処理をステップＳ１２に戻し、走行情報を取得するまで待機する。
【００５２】
発電制御部１４は、走行情報を取得したと判定した場合（Ｓ１２：ＹＥＳ）、ＤＣ／ＤＣコンバータ１０の制御部２６から入力された電圧情報が示す上限電圧以下の範囲において、外部から取得した走行情報に基づいて、オルタネータ１１が発生すべき発電電圧を設定する（ステップＳ１３）。
【００５３】
具体的には、発電制御部１４は、まず、外部から取得した走行情報に基づいて設定電圧を設定する。このとき、発電制御部１４は、例えば、アクセルペダルが踏み込まれておらず、かつ、ブレーキペダルが踏み込まれている状態で車速が低下している場合、車両の運動エネルギーを効率的に回生電力に変換するため、ブレーキペダルの踏み込み量の大／小に応じて設定電圧を高／低に設定する。そして、発電制御部１４は、アクセルペダルが踏み込まれており、かつ、ブレーキペダルが踏み込まれていない状態で車速が上昇している場合、設定電圧を、車速が低下している場合に設定される設定電圧よりも低い電圧に設定する。
【００５４】
ステップＳ１３において、発電制御部１４は、走行情報に基づいて設定した設定電圧が上限電圧以上である場合、発電電圧を上限電圧に設定し、走行情報に基づいて設定した設定電圧が上限電圧未満である場合、発電電圧を設定電圧に設定する。
【００５５】
次に、発電制御部１４は、ステップＳ１３で設定した発電電圧を示す発電情報をオルタネータ１１に出力する（ステップＳ１４）。これにより、オルタネータ１１は、発電制御部１４から入力された発電情報が示す発電電圧を出力する。
【００５６】
以上のように、発電制御部１４は、ＤＣ／ＤＣコンバータ１０の制御部２６が設定した上限電圧以下の範囲において、外部から取得した走行情報に基づいて、オルタネータ１１が発生する発電電圧を調整する。発電制御部１４は調整手段の他部としても機能する。即ち、ＤＣ／ＤＣコンバータ１０の制御部２６と、発電制御部１４とは、制御部２６が算出した変圧の効率と、発電制御部１４が外部から取得した走行情報とに基づいてオルタネータ１１が発生する発電電圧を調整する。
【００５７】
発電制御部１４は、ステップＳ１４を実行した後、処理を終了する。発電制御部１４は、処理を終了した後、再び、ステップＳ１１を実行する。
【００５８】
以上のように構成された電源システム１においては、発電電圧の上限電圧は変圧の効率の高／低に応じて高／低に調整され、発電電圧が上限電圧を超えることはないため、変圧回路２０が有するスイッチング素子のオン／オフの切替えで生じるスイッチング損失は小さい。このため、変圧回路２０が行う変圧の効率を一定効率以上に確実に維持することができる。更には、変圧回路２０から放出される熱の量は少ないため、変圧回路２０が高温になることはない。
【００５９】
なお、制御部２６が上限電圧を設定する構成は、変圧の効率に対応付けて記憶されている候補電圧の記憶内容に基づいて上限電圧を設定する構成に限定されない。制御部２６は、例えば、変圧の効率と上限電圧との関係式を用いて上限電圧を設定してもよい。この関係式は、変圧の効率の高／低に応じて上限電圧が高／低となる式である。
【００６０】
（実施の形態２）
実施の形態１における電源システム１では、変圧回路２０が行っている変圧の効率の高／低に応じて、オルタネータ１１が発生する発電電圧の上限電圧を高／低に設定することによって、変圧の効率を一定効率以上に維持している。
【００６１】
しかしながら、変圧の効率の高／低に応じて発電電圧を高／低に調整する構成は、上限電圧を設定する構成に限定されず、変圧の効率が予め設定されている基準効率未満となった場合に発電電圧を下げる構成であってもよい。
以下では、実施の形態２について、実施の形態１と異なる点を説明する。後述する構成を除く他の構成については、実施の形態１と同様であるため、同様の符号を付してその説明を省略する。
【００６２】
実施の形態２における電源システム１は、好適に車両に搭載され。実施の形態１における電源システム１と同様の構成部を備える。実施の形態２におけるＤＣ／ＤＣコンバータ１０は、実施の形態１におけるＤＣ／ＤＣコンバータ１０と同様の構成部を有する。実施の形態２においては、実施形態１と比較して、ＤＣ／ＤＣコンバータ１０の制御部２６が上限電圧設定処理の代わりに、変圧回路２０が行っている変圧の効率を調整する効率調整処理を行う点と、発電制御部１４が実行する動作の手順とが異なる。従って、実施の形態２においても、発電制御部１４は、外部から走行情報を取得しており、取得手段として機能する。
なお、制御部２６は、効率調整処理を行うため、実施の形態１のように、上限電圧を示す電圧情報を発電制御部１４に出力することはない。
【００６３】
図４は実施の形態２における制御部２６が実行する効率調整処理を示すフローチャートである。制御部２６は、変圧回路２０に変圧を行わせている間に効率調整処理を実行する。制御部２６が効率調整処理で実行するステップＳ２１からＳ２７夫々は、実施の形態１において制御部２６が実行した上限電圧設定処理のステップＳ１からＳ７（図２参照）と同様であるため、ステップＳ２１からＳ２７の説明を省略する。
【００６４】
従って、制御部２６は実施の形態２においても入力電力算出手段、出力電力算出手段及び効率算出手段として機能する。このため、制御部２６は、変圧回路２０が行っている変圧の効率を正確に算出することができる。
【００６５】
制御部２６は、ステップＳ２７を実行した後、ステップＳ２７で算出した変圧の効率が、予め設定されている基準効率未満であるか否かを判定する（ステップＳ２８）。制御部２６は、実施の形態２において、判定手段として機能し、調整手段の一部としても機能する。制御部２６は、変圧の効率が基準効率未満であると判定した場合（Ｓ２８：ＹＥＳ）、発電電圧の低下を指示する低下指示を発電制御部１４に出力する（ステップＳ２９）。
【００６６】
制御部２６は、変圧の効率が基準効率以上であると判定した場合（Ｓ２８：ＮＯ）、又は、ステップＳ２９を実行した後、処理を終了する。制御部２６は、変圧回路２０に変圧を行わせている間、効率調整処理を繰り返し実行する。
【００６７】
図５は発電制御部１４が実行する動作の手順を示すフローチャートである。発電制御部１４は、外部から走行情報を取得したか否かを判定する（ステップＳ３１）。発電制御部１４は、走行情報を取得していないと判定した場合（Ｓ３１：ＮＯ）、処理をステップＳ３１に戻し、走行情報を取得するまで待機する。
【００６８】
発電制御部１４は、走行情報を取得したと判定した場合（Ｓ３１：ＹＥＳ）、実施の形態１におけるステップＳ１３の説明で前述したように、外部から取得した走行情報に基づいて設定電圧を設定する（ステップＳ３２）。
【００６９】
次に、発電制御部１４は、ＤＣ／ＤＣコンバータ１０の制御部２６から低下指示が入力されたか否かを判定する（ステップＳ３３）。制御部２６から低下指示が発電制御部１４に入力されることは、変圧回路２０が行っている変圧の効率が基準効率未満であると制御部２６が判定したことに相当する。制御部２６から低下指示が発電制御部１４に入力されていないことは、変圧回路２０が行っている変圧の効率が基準効率以上であると制御部２６が判定したことに相当する。
【００７０】
発電制御部１４は、制御部２６から低下指示が入力されたと判定した場合（Ｓ３３：ＹＥＳ）、オルタネータ１１が発生すべき発電電圧を、ステップＳ３２で設定した設定電圧よりも低い電圧に設定する（ステップＳ３４）。発電制御部１４は、ステップＳ３４において、例えば、ステップＳ３３で設定した設定電圧から所定電圧を引いた電圧を、オルタネータ１１が発生すべき発電電圧に設定する。発電制御部１４は実施の形態２において設定手段としても機能する。
【００７１】
発電制御部１４は、制御部２６から低下指示が入力されていないと判定した場合（Ｓ３３：ＮＯ）、オルタネータ１１が発生すべき発電電圧を、ステップＳ３２で設定した設定電圧に設定する（ステップＳ３５）。発電制御部１４は、ステップＳ３４又はＳ３５を実行した後、発電情報をオルタネータ１１に出力する（ステップＳ３６）。ステップＳ３６において、発電制御部１４は、ステップＳ３４を実行している場合、ステップＳ３４で設定した発電電圧を示す発電情報をオルタネータ１１に出力し、ステップＳ３５を実行している場合、ステップＳ３５で設定した発電電圧を示す発電情報をオルタネータ１１に出力する。発電制御部１４がステップＳ３６を実行することにより、オルタネータ１１は、発電制御部１４から入力された発電情報が示す発電電圧を出力する。
【００７２】
以上のように、発電制御部１４は、ＤＣ／ＤＣコンバータ１０の制御部２６によって、変圧回路２０が行っている変圧の効率が基準効率未満であると判定した場合に、オルタネータ１１が発生する発電電圧を、ステップＳ３２で設定した設定電圧よりも低い電圧に調整する。発電制御部１４は実施の形態２において調整手段の他部としても機能する。ＤＣ／ＤＣコンバータ１０の制御部２６と発電制御部１４とは、制御部２６が算出した変圧の効率と、発電制御部１４が外部から取得した走行情報とに基づいてオルタネータ１１が発生する発電電圧を調整する。
【００７３】
発電制御部１４は、ステップＳ３６を実行した後、処理を終了する。発電制御部１４は、処理を終了した後、再び、ステップＳ３１を実行する。
【００７４】
以上のように構成された実施の形態２における電源システム１において、ＤＣ／ＤＣコンバータ１０の制御部２６によって変圧回路２０が行っている変圧の効率が基準効率未満であると判定された場合、発電制御部１４は、外部から取得した走行情報に基づいて設定した電圧よりも低い電圧に設定する。このため、変圧回路２０が有するスイッチング素子のオン／オフの切替えで生じるスイッチング損失は小さく、簡単な構成で変圧の効率を一定効率以上に維持することができる。更には、変圧回路２０から放出される熱の量は少ないため、変圧回路２０が高温になることはない。
【００７５】
なお、実施の形態２において、変圧の効率が基準効率未満であるか否かを判定する構成は、変圧の効率が基準効率未満であるか否かを制御部２６が判定する構成に限定されない。例えば、制御部２６が、算出した効率を示す情報を発電制御部１４に出力し、この情報を用いて、変圧の効率が基準効率未満であるか否かを発電制御部１４が判定してもよい。
【００７６】
また、オルタネータ１１が発電すべき発電電圧を設定電圧よりも低い電圧に設定する場合において、発電制御部１４が設定電圧から引く電圧は所定電圧に限定されず、発電制御部１４は設定電圧から引く電圧を逐次的に変更してもよい。例えば、ＤＣ／ＤＣコンバータ１０の制御部２６は、低下指示を発電制御部１４に出力する場合に、算出した変圧の効率と基準効率との差分値を示す差分情報も発電制御部１４に出力し、発電制御部１４は、制御部２６から入力された差分情報が示す差分値が大きい程、設定電圧から大きい電圧を引いてもよい。
【００７７】
なお、実施の形態１及び２において、変圧回路２０が行っている変圧の効率を算出する構成は、ＤＣ／ＤＣコンバータ１０の制御部２６が変圧の効率を算出する構成に限定されず、発電制御部１４が変圧の効率を算出する構成であってもよい。例えば、制御部２６は入力電圧、入力電流、出力電圧及び出力電流を示す情報を発電制御部１４に出力し、該情報を用いて発電制御部１４が変圧の効率を算出してもよい。
【００７８】
（実施の形態３）
実施の形態１における電源システム１では、変圧回路２０の入力電力及び出力電力から直接に算出した変圧の効率に基づいて上限電圧を設定した。しかしながら、変圧の効率が低い程、変圧回路２０が放出する熱の量が多いので、変圧の効率ではなく、ＤＣ／ＤＣコンバータ１０内の温度、具体的には、変圧回路２０周辺の温度に基づいて上限電圧を設定してもよい。
【００７９】
以下では、実施の形態３について、実施の形態実施の形態１と異なる点を説明する。後述する構成を除く他の構成については、実施の形態１と同様であるため、同様の符号を付してその説明を省略する。
【００８０】
図６は実施の形態３における電源システム３の要部構成を示すブロック図である。この電源システム３は、車両に好適に搭載され、実施の形態１における電源システム１と同様に、オルタネータ１１、バッテリ１２、負荷１３及び発電制御部１４を備える。電源システム３は、実施の形態１における電源システム１において、ＤＣ／ＤＣコンバータ１０の代わりにＤＣ／ＤＣコンバータ３０を備える。ＤＣ／ＤＣコンバータ３０は、実施の形態１におけるＤＣ／ＤＣコンバータ１０と同様に第１端、第２端及び第３端を有する。オルタネータ１１、バッテリ１２、負荷１３、発電制御部１４及びＤＣ／ＤＣコンバータ３０は実施の形態１と同様に接続されている。ここで、実施の形態１におけるＤＣ／ＤＣコンバータ１０は、ＤＣ／ＤＣコンバータ３０に対応する。
【００８１】
ＤＣ／ＤＣコンバータ３０は、実施の形態１におけるＤＣ／ＤＣコンバータ１０と同様に作用する。即ち、ＤＣ／ＤＣコンバータ３０は、オルタネータ１１が発電している間、オルタネータ１１が発生した発電電圧を目標電圧に変圧し、該目標電圧をバッテリ１２及び負荷１３に出力する。また、ＤＣ／ＤＣコンバータ３０は、オルタネータ１１が発電していない場合、変圧を停止する。更に、ＤＣ／ＤＣコンバータ３０は、オルタネータ１１が発電する発電電圧の上限電圧を示す電圧情報を発電制御部１４に出力する。
【００８２】
オルタネータ１１、バッテリ１２、負荷１３及び発電制御部１４夫々は実施の形態１と同様に作用する。ここで、実施の形態１におけるこれらの説明において、電源システム１は電源システム３に対応し、ＤＣ／ＤＣコンバータ１０はＤＣ／ＤＣコンバータ３０に対応する。
従って、発電制御部１４は、電源システム３が搭載されている車両の走行に関する走行情報を取得するので、実施の形態３においても取得手段として機能する。
【００８３】
ＤＣ／ＤＣコンバータ３０は、実施の形態１におけるＤＣ／ＤＣコンバータ１０と同様に、変圧回路２０、出力電圧検出部２２、記憶部２５及び制御部２６を有し、これらは実施の形態１と同様に接続されている。ＤＣ／ＤＣコンバータ３０は更に温度検出部４０を有し、温度検出部４０は制御部２６に接続されている。
変圧回路２０及び出力電圧検出部２２は実施の形態１と同様に作用する。従って、変圧回路２０はオルタネータ１１が発生した発電電圧を目標電圧に変圧し、該目標電圧をバッテリ１２及び負荷１３に出力する。出力電圧検出部２２は変圧回路２０から出力されている出力電圧を検出し、検出した出力電圧は制御部２６によって出力電圧検出部２２から読込まれる。
【００８４】
温度検出部４０は、ＤＣ／ＤＣコンバータ３０内の温度、具体的には、変圧回路２０周辺の温度を検出する。温度検出部４０が検出した温度は、制御部２６によって温度検出部４０から読込まれる。温度検出部４０は、実施の形態３において温度検出手段として機能する。
【００８５】
記憶部２５は、変圧回路２０周辺の温度に対応付けて、発電電圧の上限電圧となり得る候補電圧を記憶している。ここで、高い温度には低い候補電圧が対応付けられており、低い温度には高い候補電圧が対応付けられている。記憶部２５に記憶されている内容は制御部２６によって読み出される。
【００８６】
実施の形態３における制御部２６は、変圧回路２０に変圧を行わせる場合、実施の形態１における制御部２６と同様に、変圧回路２０が有するスイッチング素子のオン／オフを繰り返し、該スイッチング素子のオフからオンへの切替えを周期的に行う。制御部２６はデューティを調整することによって、出力電圧検出部２２が検出した出力電圧が目標電圧となるように、変圧回路２０の入力端に入力されている電圧の降圧幅を調整する。
制御部２６が変圧回路２０におけるスイッチング素子のオン／オフの繰り返しを停止した場合、例えば、該スイッチング素子をオフに維持した場合、変圧回路２０は変圧を停止する。
【００８７】
制御部２６は、実施の形態１と同様に、オルタネータ１１が発電しているか否かを判定する。例えば、制御部２６に、オルタネータ１１が発電しているか否かを示す情報が入力されており、制御部２６は入力されている該情報に基づいてオルタネータ１１が発電しているか否かを判定してもよい。オルタネータ１１が発電しているか否かを示す情報は、イグニッションスイッチのオン／オフを示す情報、又は、車両がアイドリングストップしているか否かを示す情報等である。
【００８８】
制御部２６は、オルタネータ１１が発電していると判定した場合、変圧回路２０が有するスイッチング素子のオン／オフを繰り返すことによって、変圧回路２０に変圧を行わせ、オン／オフのデューティを調整することによって変圧回路２０が出力端から出力する電圧を目標電圧に調整する。
【００８９】
制御部２６は、以上に述べた処理を行うと共に、オルタネータ１１が発生する発電電圧の上限電圧を設定する上限電圧設定処理を実行する。制御部２６は、変圧回路２０に変圧を行わせている間に上限電圧設定処理を実行する。
【００９０】
図７は制御部２６が実行する上限電圧設定処理を示すフローチャートである。制御部２６は、まず、温度検出部４０から変圧回路２０周辺の温度を読込む（ステップＳ４１）。変圧回路２０における変圧の効率が低い程、変圧回路２０周辺の温度は高く、変圧回路２０における変圧の効率が高い程、変圧回路２０周辺の温度は低い。
【００９１】
次に、制御部２６は、ステップＳ４１で読込んだ温度に基づいて、オルタネータ１１が発生する発電電圧の上限電圧を設定する（ステップＳ４２）。具体的には、制御部２６は、ステップＳ４１で読込んだ温度に対応付けられている候補電圧を読み出し、読み出した候補電圧を上限電圧に設定する。前述したように、高い温度には低い候補電圧が対応付けられており、低い温度には高い候補電圧が対応付けられているため、制御部２６は、ステップＳ４２において、ステップＳ４１で読込んだ温度の高／低に応じて低／高となる発電電圧の上限電圧を設定する。制御部２６は、実施の形態３において調整手段の一部として機能する。
【００９２】
次に、制御部２６は、ステップＳ４２で設定した上限電圧を示す電圧情報を発電制御部１４に出力し（ステップＳ４３）、上限電圧設定処理を終了する。制御部２６は、変圧回路２０に変圧を行わせている間、上限電圧設定処理を繰り返し実行する。
【００９３】
実施の形態３における発電制御部１４は、実施の形態１における発電制御部１４と同様の処理（図３参照）と同様の処理を行う。ここで、実施の形態１における発電制御部１４が実行する動作の手順において、ＤＣ／ＤＣコンバータ１０はＤＣ／ＤＣコンバータ３０に対応する。
【００９４】
従って、発電制御部１４は、ＤＣ／ＤＣコンバータ３０の制御部２６が設定した上限電圧以下の範囲において、外部から取得した走行情報に基づいて、オルタネータ１１が発生する発電電圧を調整し、実施の形態３において調整手段の他部として機能する。発電制御部１４と、ＤＣ／ＤＣコンバータ３０の制御部２６とは、温度検出部４０が検出した変圧回路２０周辺の温度と、発電制御部１４が外部から取得した走行情報とに基づいてオルタネータ１１が発生する発電電圧を調整する。
【００９５】
以上のように構成された電源システム３においては、発電電圧の上限電圧は、変圧回路２０周辺の温度の高／低に応じて低／高に調整され、発電電圧が上限電圧を超えることはないため、変圧回路２０が有するスイッチング素子のオン／オフの切替えで生じるスイッチング損失は小さい。このため、変圧回路２０が行う変圧の効率は一定効率以上に確実に維持することができる。更には、変圧回路２０から放出される熱の量は少ないため、変圧回路２０が高温になることはない。
【００９６】
なお、実施の形態３において、制御部２６が上限電圧を設定する構成は、変圧回路２０周辺の温度に対応付けて記憶されている候補電圧の記憶内容に基づいて上限電圧を設定する構成に限定されない。制御部２６は、例えば、変圧回路２０周辺の温度と上限電圧との関係式を用いて上限電圧を設定してもよい。この関係式は、変圧回路２０周辺の温度の高／低に応じて上限電圧が低／高となる式である。
【００９７】
なお、実施の形態１及び３において、上限電圧を設定する構成は、制御部２６が上限電圧を設定する構成に限定されず、例えば、発電制御部１４が上限電圧を設定してもよい。この場合、実施の形態１においては制御部２６が、算出した効率を示す情報を発電制御部１４に出力し、この情報を用いて発電制御部１４は上限電圧を設定する。実施の形態３においては、制御部２６が、温度検出部４０によって検出された変圧回路２０周辺の温度を示す情報を発電制御部１４に出力し、この情報を用いて発電制御部１４は上限電圧を設定する。
【００９８】
（実施の形態４）
実施の形態３における電源システム３では、変圧回路２０周辺の温度の高／低に応じて、オルタネータ１１が発生する発電電圧の上限電圧を低／高に設定することによって、変圧回路２０周辺の温度の高／低に応じて発電電圧を低／高に調整した。
【００９９】
しかしながら、変圧回路２０周辺の温度の高／低に応じて発電電圧を低／高に調整する構成は、上限電圧を設定する構成に限定されず、変圧回路２０周辺の温度が予め設定されている基準温度以上となった場合に発電電圧を下げる構成であってもよい。
以下では、実施の形態４について、実施の形態３と異なる点を説明する。後述する構成を除く他の構成については、実施の形態１、２又は３と同様であるため、同様の符号を付してその説明を省略する。
【０１００】
実施の形態４における電源システム３は、好適に車両に搭載され、実施の形態３における電源システム３と同様の構成部を備える。実施の形態４におけるＤＣ／ＤＣコンバータ３０は、実施の形態２におけるＤＣ／ＤＣコンバータ３０と同様の構成部を有する。実施の形態４においては、実施の形態３と比較して、ＤＣ／ＤＣコンバータ３０の制御部２６が上限電圧設定処理の代わりに、変圧回路２０が行っている変圧の効率を調整する効率調整処理を行う点と、発電制御部１４が実行する動作の手順とが異なる。従って、発電制御部１４は電源システム３が搭載されている車両の走行に関する走行情報を取得し、ＤＣ／ＤＣコンバータ３０の温度検出部４０夫々は、変圧回路２０周辺の温度を検出する。発電制御部１４及び温度検出部４０夫々は、実施の形態４においても取得手段及び温度検出手段として機能する。
なお、制御部２６は、効率調整処理を行うため、実施の形態３のように、上限電圧を示す電圧情報を発電制御部１４に出力することはない。
【０１０１】
図８は実施の形態４における制御部２６が実行する効率調整処理を示すフローチャートである。制御部２６は、変圧回路２０に変圧を行わせている間に効率調整処理を実行する。制御部２６は、温度検出部４０から変圧回路２０周辺の温度を読込む（ステップＳ５１）。変圧回路２０における変圧の効率が低い程、変圧回路２０周辺の温度は高く、変圧回路２０における変圧の効率が高い程、変圧回路２０周辺の温度は低い。
【０１０２】
次に、制御部２６は、ステップＳ５１で読込んだ変圧回路２０周辺の温度が、予め設定されている基準温度以上であるか否かを判定する（ステップＳ５２）。制御部２６は、実施の形態４において、判定手段として機能し、調整手段の一部としても機能する。制御部２６は、変圧回路２０周辺の温度が基準温度以上であると判定した場合（Ｓ５２：ＹＥＳ）、発電電圧の低下を指示する低下指示を発電制御部１４に出力する（ステップＳ５３）。
【０１０３】
制御部２６は、変圧回路２０周辺の温度が基準温度未満である（Ｓ５２：ＮＯ）、又は、ステップＳ５３を実行した後、処理を終了する。制御部２６は、変圧回路２０に変圧を行わせている間、効率調整処理を繰り返し実行する。
【０１０４】
実施の形態４における発電制御部１４は、実施の形態２における発電制御部１４と同様の処理（図５参照）と同様の処理を行う。ここで、実施の形態２における発電制御部１４が実行する動作の手順において、ＤＣ／ＤＣコンバータ１０はＤＣ／ＤＣコンバータ３０に対応する。従って、発電制御部１４は、実施の形態４において設定手段としても機能する。
制御部２６から低下指示が発電制御部１４に入力されることは、温度検出部４０が検出した変圧回路２０周辺の温度が基準温度以上であると制御部２６が判定したことに相当する。制御部２６から低下指示が発電制御部１４に入力されていないことは、温度検出部４０が検出した変圧回路２０周辺の温度が基準温度未満であると制御部２６が判定したことに相当する。
【０１０５】
また、実施の形態４における発電制御部１４は、ＤＣ／ＤＣコンバータ３０の制御部２６によって、変圧回路２０周辺の温度が基準温度以上であると判定した場合に、オルタネータ１１が発生する発電電圧を、車両の走行情報に基づいて設定した設定電圧よりも低い電圧に調整する。発電制御部１４は実施の形態４において調整手段の他部としても機能する。即ち、発電制御部１４と、ＤＣ／ＤＣコンバータ３０の制御部２６とは、温度検出部４０が検出した変圧回路２０周辺の温度と、発電制御部１４が外部から取得した走行情報とに基づいてオルタネータ１１が発生する発電電圧を調整する。
【０１０６】
以上のように構成された実施の形態４における電源システム３において、ＤＣ／ＤＣコンバータ３０の制御部２６によって変圧回路２０周辺の温度が基準温度以上であると判定された場合、発電制御部１４は、外部から取得した走行情報に基づいて設定した電圧よりも低い電圧に設定する。このため、変圧回路２０が有するスイッチング素子のオン／オフの切替えで生じるスイッチング損失は小さく、簡単な構成で変圧の効率を一定効率以上に維持することができる。更には、変圧回路２０から放出される熱の量は少ないため、変圧回路２０が高温になることはない。
【０１０７】
なお、実施の形態４において、温度検出部４０が検出した温度が基準温度以上であるか否かを判定する構成は、制御部２６が、温度検出部４０によって検出された温度が基準温度以上であるか否かを判定する構成に限定されない。例えば、制御部２６が、温度検出部４０によって検出された温度を示す情報を発電制御部１４に出力し、この情報を用いて、発電制御部１４が、温度検出部４０によって検出された温度が基準温度以上であるか否かを判定してもよい。
【０１０８】
また、オルタネータ１１が発電すべき発電電圧を設定電圧よりも低い電圧に設定する場合において、発電制御部１４が設定電圧から引く電圧は所定電圧に限定されず、発電制御部１４は設定電圧から引く電圧を逐次的に変更してもよい。例えば、ＤＣ／ＤＣコンバータ１０の制御部２６は、低下指示を発電制御部１４に出力する場合に、温度検出部４０が検出した温度と基準温度との差分値を示す差分情報も発電制御部１４に出力し、発電制御部１４は、制御部２６から入力された差分情報が示す差分値が大きい程、設定電圧から大きい電圧を引いてもよい。
【０１０９】
なお、実施の形態１〜４において、変圧回路２０は入力端に入力されている電圧を目標電圧に降圧し、該目標電圧を出力端から出力する回路に限定されない。変圧回路２０は、入力端に入力されている電圧を目標電圧に昇圧する回路であってもよい。この場合も、制御部２６は、変圧回路が有するスイッチング素子のオン／オフに係るデューティを調整することによって、出力電圧検出部２２が検出した出力電圧が目標電圧となるように、変圧回路２０の入力端に入力されている電圧の昇圧幅を調整する。更に、変圧回路２０は、入力端に入力されている電圧の昇圧及び降圧を行う回路であってもよい。この場合も、制御部２６は変圧回路２０が有するスイッチング素子のオン／オフに係るデューティを調整することによって、入力端に入力されている電圧の昇圧幅及び降圧幅を調整する。
【０１１０】
開示された実施の形態１〜４は、全ての点で例示であって制限的なものではないと考えられるべきである。本発明の範囲は上述の説明ではなく特許請求の範囲によって示され、特許請求の範囲と均等の意味及び範囲内での全ての変更が含まれることが意図される。
【符号の説明】
【０１１１】
１，３  電源システム
１１  オルタネータ（発電機）
１４  発電制御部（取得手段、調整手段の一部、設定手段）
２０  変圧回路
２６  制御部（効率算出手段、調整手段の他部、判定手段、入力電力算出手段、出力電力算出手段）
４０  温度検出部（温度検出手段）
【図１】
2015214242.tif 000003
【図２】
2015214242.tif 000004
【図３】
2015214242.tif 000005
【図４】
2015214242.tif 000006
【図５】
2015214242.tif 000007
【図６】
2015214242.tif 000008
【図７】
2015214242.tif 000009
【図８】
2015214242.tif 000010